(57)【特許請求の範囲】
【請求項１】
ランププラグを挿脱可能に嵌合するソケット本体と、このソケット本体のプラグ嵌合部に配置された中央部端子および側部端子と、前記中央部端子と側部端子との間を電気絶縁する絶縁シール部材と、前記中央部端子と前記絶縁シール部材の少なくとも一方に形成され、相手側に係止して前記絶縁シール部材の離脱を防止する離脱防止手段を備えたランプソケットにおいて、
前記離脱防止手段は前記中央部端子に形成され、外筒部の一端開口側に対し前記中央部端子に接触させる内筒部を連続形成して構成された前記絶縁シール部材の前記内筒部を抱え込むように構成されていることを特徴とするランプソケット。
【請求項２】
ランププラグを挿脱可能に嵌合するソケット本体と、このソケット本体のプラグ嵌合部に配置された中央部端子および側部端子と、前記中央部端子と側部端子との間を電気絶縁する絶縁シール部材と、前記中央部端子と前記絶縁シール部材の少なくとも一方に形成され、相手側に係止して前記絶縁シール部材の離脱を防止する離脱防止手段を備え、前記中央部端子は、前記ソケット本体に挿入固定する端子脚部と、前記ランププラグに通電する略対称的配置の一対の接触爪部と、この接触爪部と前記端子脚部とに連続し、前記一対の接触爪部の相対位置を規定する位置決め部位とからなり、前記接触爪部と前記位置決め部位の少なくとも一方に前記離脱防止手段が形成されたランプソケットにおいて、
前記離脱防止手段は前記中央部端子に形成され、外筒部の一端開口側に対し前記中央部端子に接触させる内筒部を連続形成して構成された前記絶縁シール部材の前記内筒部を抱え込むように構成されていることを特徴とするランプソケット。
【請求項３】
離脱防止手段は中央部端子に形成され、単一円筒状に形成された絶縁シール部材をソケット本体内への嵌合方向に押え込むように構成されていることを特徴とする請求項１または請求項２記載のランプソケット。
【請求項４】
ランププラグを挿脱可能に嵌合するソケット本体と、このソケット本体のプラグ嵌合部に配置された中央部端子および側部端子と、前記中央部端子と側部端子との間を電気絶縁する絶縁シール部材と、前記中央部端子と前記絶縁シール部材の少なくとも一方に形成され、相手側に係止して前記絶縁シール部材の離脱を防止する離脱防止手段を備え、前記中央部端子は、前記ソケット本体に挿入固定する端子脚部と、前記ランププラグに通電する略対称的配置の一対の接触爪部と、この接触爪部と前記端子脚部とに連続し、前記一対の接触爪部の相対位置を規定する位置決め部位とからなり、前記接触爪部と前記位置決め部位の少なくとも一方に前記離脱防止手段が形成されたランプソケットにおいて、
前記離脱防止手段は、前記絶縁シール部材の内筒部の内周壁部に形成した内向き突起部と、前記中央部端子における前記内筒部との当接部に形成され、前記内向き突起部に係止させる係止凹部とからなっていることを特徴とするランプソケット。
【請求項５】
ランププラグを挿脱可能に嵌合するソケット本体と、このソケット本体のプラグ嵌合部に配置された中央部端子および側部端子と、前記中央部端子と側部端子との間を電気絶縁する絶縁シール部材とを備えたランプソケットにおいて、外筒部の一端側に対し前記中央部端子に接触させる内筒部を連続形成して絶縁シール部材を構成し、前記ソケット本体に対するランププラグの差し込み装着時に、前記ランププラグによって前記中央部端子が外向きに押し広げられ、その中央部端子の外向き広がり部位で前記絶縁シール部材の内筒部を抱え込むように構成した離脱防止手段を有することを特徴とするランプソケット。
【発明の詳細な説明】
【０００１】
【発明の属する技術分野】
この発明は、例えば自動車のヘッドライトのような高輝度放電灯などとして用いられるランプを装着するためのランプソケットに関するものである。
【０００２】
【従来の技術】
近年、自動車用ヘッドライトは、ハロゲンランプに比べ光束が大きく、ランプ効率が高く、さらに寿命が長いなどの利点を有する高輝度放電灯（以下、ＨＩＤという）へと移行しつつあり、その点灯装置は、主に放電ランプと、高電圧放電を瞬時に行うためのイグナイタと、これを制御するためのバラストとで構成されている。そして、前記点灯装置のランプを装着するランプソケットは、高電圧側端子と低電圧側端子とを有し、イグナイタで発生させた高電圧（例えば３０ＫＶ）を瞬時にランプへ印加するため、前記高圧側端子と前記低圧側端子との間に、両者間を完全に電気絶縁するための絶縁シール部材を配設した構造としている。
【０００３】
具体的には、ランプソケットの中央部にランププラグの高電圧側が接続される高電圧端子が、かつランプソケットの外周よりにランププラグの低電圧側が接続される低電圧側端子がそれぞれ設けられ、さらには、前記両端子間を完全に電気絶縁するための絶縁シール部材を介在させる構造となっており、前記高電圧側端子と前記低電圧側端子との間の絶縁性能および耐圧性能を高めることにより高電圧に対処可能な構造としている。
【０００４】
このような構造のランプソケットにおいて、絶縁シール部材は、高電圧側端子を取り囲む円筒状ガイド部の外側に嵌め込むだけであり、このため、例えばランプ交換等に際しランプソケットからランプを引き抜いた場合、前記絶縁シール部材がランプ側に付着した状態で離脱することがあり、これに気づかず新しいランプを装着すると、前記絶縁シール部材が無い状態で組付けられることによって、絶縁不良を起こし点灯装置が損傷することがある。
【０００５】
このような不具合を排除するために、別部材を追加することによって前記絶縁シール部材の離脱を防止する構造としたランプソケットは、例えば特開平１０−６４６４３号公報によって既に知られている。
【０００６】
図１０は前記特開平１０−６４６４３号公報に開示された従来のランプソケットを示す断面図である。図において、１はＨＩＤ等のランプ、２はランププラグであり、このランププラグ２は円筒状の低電圧側端子３と中心部の高電圧側端子４とを有している。５は前記ランププラグ２を挿脱可能に差し込み保持させるランプソケット、６はそのランプソケット５の内部に一体形成された円筒状のガイド部、７はそのガイド部６内を介して前記ランプソケット５に挿入固着された高電圧側端子であり、この高電圧側端子７は前記ランププラグ２の高電圧側端子４に接続されるものである。８は前記ランプソケット５の周壁部と前記ガイド部６との間で前記ランプソケット５に挿入固着された低電圧側端子であり、この低電圧側端子８は前記ランププラグ２の低電圧側端子３に接続されるものである。９は円筒状の絶縁シール部材であり、前記ガイド部６の外周面部に被せられ、高電圧側（高電圧側端子４，７側）と低電圧側（低電圧側端子３，８側）との間を電気絶縁するものである。１０は前記ガイド部６内に挿入固着される円筒状のストッパであり、このストッパ１０は、前記絶縁シール部材９を前記ガイド部６への嵌め込み方向に押える外向き鍔状の押え片部１０ａを軸方向一端に有している。
【０００７】
次に動作について説明する。
まず、ランプソケット５のガイド部６の外周に絶縁シール部材９を嵌め込み装着し、次いで、前記ガイド部６内にストッパ１０を挿入固着することにより、そのストッパ１０の押え片部１０ａが前記絶縁シール部材９におけるランププラグ２側の端部に当接し、これによって、前記絶縁シール部材９の抜け出しを防止する。
【０００８】
【発明が解決しようとする課題】
従来のランプソケットは以上のように構成されているので、絶縁シール部材９の離脱防止手段として別部材のストッパ１０が必要であり、その分だけランプソケット５の付属部品点数が増えて構造が複雑化するのみならず、コストアップを招くという課題があった。また、前記絶縁シール部材９は、一般にシリコンゴムで成形されて柔軟性が高いためにランププラグ２の内壁面と前記絶縁シール部材９の外壁面との界面に粘着した際に、ランプ１を交換等のために引き抜くと、前記ストッパ１０によって前記絶縁シール部材９の離脱は防止できるものの、該絶縁シール部材９は柔軟性に富んで引き裂きに弱いため、部分的に捲れたり裂けたりし易く、正常な絶縁機能を保持できなくなるなどの課題があった。
【０００９】
この発明は上記のような課題を解決するためになされたもので、従来のストッパのような別部材を必要とせず、部品点数が減少してコスト低減が図れると共に、ランプ交換等の際に、絶縁シール部材がランププラグ側に付着したままソケット本体から離脱するのを防止でき、かつ、新品ランプ組付け時の絶縁シール部材の欠品や位置ずれ、噛み込み、あるいは亀裂等に起因したランプ損傷や不点灯などの不具合を解消することが可能なランプソケットを得ることを目的とする。
【００１０】
また、この発明は、ソケット本体側の端子自体で絶縁シール部材の離脱を防止できるランプソケットを得ることを目的とする。
【００１１】
さらに、この発明は、ソケット本体側の端子と絶縁シール部材との両者で前記絶縁シール部材の離脱を防止することができるランプソケットを得ることを目的とする。
【００１２】
【課題を解決するための手段】
この発明に係るランプソケットは、ランププラグを挿脱可能に嵌合するソケット本体と、このソケット本体のプラグ嵌合部に配置された中央部端子および側部端子と、前記中央部端子と側部端子との間を電気絶縁する絶縁シール部材と、前記中央部端子と前記絶縁シール部材の少なくとも一方に形成され、相手側に係止して前記絶縁シール部材の離脱を防止する離脱防止手段を備えたランプソケットにおいて、前記離脱防止手段は前記中央部端子に形成され、外筒部の一端開口側に対し前記中央部端子に接触させる内筒部を連続形成して構成された前記絶縁シール部材の前記内筒部を抱え込むように構成されているものである。
【００１３】
この発明に係るランプソケットは、ランププラグを挿脱可能に嵌合するソケット本体と、このソケット本体のプラグ嵌合部に配置された中央部端子および側部端子と、前記中央部端子と側部端子との間を電気絶縁する絶縁シール部材と、前記中央部端子と前記絶縁シール部材の少なくとも一方に形成され、相手側に係止して前記絶縁シール部材の離脱を防止する離脱防止手段を備え、前記中央部端子は前記ソケット本体に挿入固定する端子脚部と、前記ランププラグに通電する略対称的配置の一対の接触爪部と、この接触爪部と前記端子脚部とに連続し、前記一対の接触爪部の相対位置を規定する位置決め部位とからなり、前記接触爪部と前記位置決め部位の少なくとも一方に離脱防止手段が形成されたランプソケットにおいて、前記離脱防止手段が前記中央部端子に形成され、外筒部の一端開口側に対し前記中央部端子に接触させる内筒部を連続形成して構成された前記絶縁シール部材の前記内筒部を抱え込むように構成されているものである。
【００１５】
この発明に係るランプソケットの離脱防止手段は、中央部端子に形成され、単一円筒状に形成された絶縁シール部材をソケット本体内への嵌合方向に押え込むように構成されているものである。
【００１６】
この発明に係るランプソケットは、ランププラグを挿脱可能に嵌合するソケット本体と、このソケット本体のプラグ嵌合部に配置された中央部端子および側部端子と、前記中央部端子と側部端子との間を電気絶縁する絶縁シール部材と、前記中央部端子と前記絶縁シール部材の少なくとも一方に形成され、相手側に係止して前記絶縁シール部材の離脱を防止する離脱防止手段を備え、前記中央部端子は、前記ソケット本体に挿入固定する端子脚部と、ランププラグに通電する略対称的配置の一対の接触爪部と、この接触爪部と前記端子脚部とに連続し、前記一対の接触爪部の相対位置を規定する位置決め部位とからなり、前記接触爪部と前記位置決め部位の少なくとも一方に前記離脱防止手段が形成されたランプソケットにおいて、前記離脱防止手段が前記絶縁シール部材の内筒部の内周壁部に形成した内向き突起部と、前記中央部端子における前記内筒部との当接部に形成され、前記内向き突起部に係止させる係止凹部とからなっているものである。
【００１９】
この発明に係るランプソケットは、ランププラグを挿脱可能に嵌合するソケット本体と、このソケット本体のプラグ嵌合部に配置された中央部端子および側部端子と、前記中央部端子と側部端子との間を電気絶縁する絶縁シール部材とを備えたランプソケットにおいて、外筒部の一端側に対し前記中央部端子に接触させる内筒部を連続形成して絶縁シール部材を構成し、前記ソケット本体に対するランププラグの差し込み装着時に、前記ランププラグによって前記中央部端子が外向きに押し広げられ、その中央部端子の外向き広がり部位で前記絶縁シール部材の内筒部を抱え込むように構成した離脱防止手段を有するものである。
【００２０】
【発明の実施の形態】
以下、この発明の実施の一形態を説明する。
実施の形態１．
図１はこの発明の実施の形態１によるランプソケットにランププラグを差し込みセットした状態を示す断面図、図２は図１中の絶縁シール部材を示す拡大断面図、図３は図１の要部拡大断面図であり、図１０と同一または相当部分には同一符号を付して重複説明を省略する。図において、１１はソケット本体（ランプソケットともいう）５にガイド部６内を介して差し込み固着される高電圧側端子（中央部端子）であり、この高電圧側端子１１は、前記ガイド部６内に嵌め込まれて略対称位置に配置され、かつ略対称形状に形成された一対の接触爪部１１ａ，１１ａを有している。１１ｂは前記両接触爪部１１ａ，１１ａのそれぞれの先端寄り背面に形成された係止凹部である。なお、前記高電圧側端子１１は、板金プレス加工で製作された板状折り曲げ部材からなるもので、その板金プレス行程中に前記係止凹部１１ｂが形成されるものである。
【００２１】
１２はランププラグ２とソケット本体５相互の高電圧側と低電圧側とを電気絶縁するための絶縁シール部材であり、この絶縁シール部材１２は、外筒部１３と、この外筒部１３の軸方向一端に連続して該外筒部１３よりも短く一体形成された内筒部１４とからなり、その内筒部１４の内周には前記係止凹部１１ｂに係止させるための内向き突起部１５が一体形成され、該内向き突起部１５は尖鋭リブ状に形成されている。なお、前記内向き突起部１５は、図２に示すような断面三角形状のほか、断面半円形状、断面台形状等であってもよく、また、その数は特定されるものでない。また、内筒部１４は、外筒部１３の軸方向一端に連続的ではなく部分的に設けるようにしてもよい。さらに、内向き突起部１５も部分的に設けるようにしても良い。
【００２２】
以上において、前記高電圧側端子１１の係止凹部１１ｂと前記絶縁シール部材１２の内向き突起部１５は、前記高電圧側端子１１および前記絶縁シール部材１２を前記ソケット本体５に組立てた状態で前記絶縁シール部材１２の離脱を防止するための離脱防止手段を構成するものである。
【００２３】
次に、ソケット本体５に対する低電圧側端子（側部端子）８と高電圧側端子１１および絶縁シール部材１２の組立手順について説明する。
まず、ソケット本体５のガイド部６の外周に絶縁シール部材１２の外筒部１３を嵌め込むことにより、前記絶縁シール部材１２の内筒部１４が前記ガイド部６内に嵌め込まれ、そのガイド部６が前記絶縁シール部材１２によって部分的に覆われる。
【００２４】
次いで、低電圧側端子８をソケット本体５の周壁部とガイド部６との間から前記ソケット本体５の所定位置に差し込み固着し、かつ高電圧側端子１１を前記ガイド部６内から前記ソケット本体５の所定位置に差し込み固着する。この状態では、前記絶縁シール部材１２の内向き突起部１５と、前記高電圧側端子１１の接触爪部１１ａ，１１ａとが噛み合った状態となる。このように組付けられたランプソケット５にランププラグ２が嵌合セットされる。
【００２５】
以上説明した実施の形態１によれば、高電圧側端子１１の接触爪部１１ａ，１１ａの背面に係止凹部１１ｂを形成すると共に、外筒部１３と内筒部１４とからなる絶縁シール部材１２の前記内筒部１４の内周に内向き突起部１５を形成し、前記高電圧側端子１１および前記絶縁シール部材１２のソケット本体５に対する組付け位置で前記係止凹部１１ｂと前記内向き突起部１５とが噛み合うように構成したので、ランプ１を取り外す際に、たとえ前記絶縁シール部材１２が前記ランププラグ２に貼り付いたままソケット本体５から離脱しようとしても、そのソケット本体５に一体化された高電圧側端子１１の係止凹部１１ｂに前記内向き突起部１５が係止され、しかも、その係止状態では、前記高電圧側端子１１の係止凹部１１ｂ付近が、ランププラグ２の高電圧側端子４と前記絶縁シール部材１２の内筒部１４との間に挟み込まれ、かつ、前記内筒部１４が、前記高電圧側端子の接触爪部１１ａ，１１ａと、ソケット本体５に一体のガイド部６との間に挟み込まれているため、前記絶縁シール部材１２が前記ガイド部６から離脱するようなことがないという効果がある。
【００２６】
実施の形態２．
図４はこの発明の実施の形態２によるランプソケットにランププラグを嵌め込んだ状態を示す断面図であり、図１から図３および図１０と同一または相当部分には同一符号を付して重複説明を省略する。図において、１２ａは単一の円筒体からなる絶縁シール部材１２の軸方向一端に一体形成された内向き鍔部であり、この内向き鍔部１２ａは、ソケット本体５のガイド部６に対する絶縁シール部材１２の嵌め込み位置で、その絶縁シール部材１２の先端に当接させるものである。
【００２７】
図５は図４中の高電圧側端子を示す全体斜視図であり、図において、１６はソケット本体５の所定位置に挿入固定される高電圧側端子１１の端子脚部、１７はその端子脚部１６の上部に形成された位置決め部位であり、この位置決め部位１７の両側に左右対称形状をなす一対の接触爪部１１ａ，１１ａが折曲形成されている。
【００２８】
ここで、前記端子脚部１６および位置決め部位１７について、前記実施の形態１では図示および説明を行っていないが、前記実施の形態１の場合の高電圧側端子１１にあっても、この実施の形態２の場合と同様に前記端子脚部１６および位置決め部位１７を有し、その位置決め部位１７の両側に左右対称形状をなす一対の接触爪部１１ａ，１１ａが折曲形成されているものである。
【００２９】
図４，図５において、１１ｃ，１１ｃは前記接触爪部１１ａ，１１ａのそれぞれに相対方向へ向けて湾曲凸状に形成された湾曲部であり、これらの湾曲部１１ｃ，１１ｃはランププラグ２の高電圧側端子４に挟み込み接触させるものである。１１ｄ，１１ｄは前記湾曲部１１ｃ，１１ｃの先端側で相反する方向に反り返る外向き折曲片部であり、これらの外向き折曲片部１１ｄ，１１ｄは、前記ソケット本体５のガイド部６先端との間で前記絶縁シール部材１２の内向き鍔部１２ａを挟み込むものである。従って、前記外向き折曲片部１１ｄ，１１ｄは、前記ガイド部６に対する前記絶縁シール部材１２の嵌合方向に該絶縁シール部材を押え込むための離脱防止手段を構成するものである。
【００３０】
次に、ソケット本体５に対する低電圧側端子８と高電圧側端子１１および絶縁シール部材１２の組立手順について説明する。
まず、ソケット本体５のガイド部６の外周に絶縁シール部材１２を嵌め込む。これにより、前記絶縁シール部材１２の内向き鍔部１２ａが前記ソケット本体５のガイド部６上端に当接する。
【００３１】
次いで、前記実施の形態１の場合と同じ要領で低電圧側端子８および高電圧側端子１１をソケット本体５に差し込み固着する。この状態では、前記ソケット本体５のガイド部６の内壁面に前記高電圧側端子１１の接触爪部１１ａ，１１ａが接触し、かつ、その接触爪部１１ａ，１１ａの先端側の外向き折曲片部１１ｄ，１１ｄが前記絶縁シール部材１２の内向き鍔部１２ａを前記ガイド部６の上端との間で挟み込んだ組付状態となる。
【００３２】
このようにして絶縁シール部材１２と低電圧側端子８および高電圧側端子１１が組付けられたランプソケット５にランププラグ２を差し込みセットすると、ランププラグ２の高電圧側端子４がランプソケット５の高電圧側端子１１の接触爪部１１ａ，１１ａ間に挿入され、その接触爪部１１ａ，１１ａの湾曲部１１ｃ，１１ｃが前記ランププラグ２の高電圧側端子４を挟み込んで接触し、かつランププラグ２の低電圧側端子３とランプソケット５の低電圧側端子８とが接触する。
【００３３】
以上説明した実施の形態２によれば、単一円筒形状の絶縁シール部材１２の軸方向一端に内向き鍔部１２ａを形成すると共に、ソケット本体５側の高電圧側端子１１の接触爪部１１ａ，１１ａに外向き折曲片部１１ｄ，１１ｄを形成し、その外向き折曲片部１１ｄ，１１ｄによって前記内向き鍔部１２ａを前記ソケット本体５のガイド部６上端との間で挟み込むように構成したので、ランププラグ２の引き抜き時に絶縁シール部材１２がランププラグ２（低電圧側端子３）に貼り付いたままソケット本体５から離脱するようなことがなく、安定的な絶縁機能を保持できるという効果がある。
【００３４】
実施の形態３．
図６はこの発明の実施の形態３によるランプソケットにランププラグを嵌め込んだ状態を示す断面図、図７は図６中の高電圧側端子を示す全体斜視図であり、図１から図５および図１０と同一または相当部分には同一符号を付して重複説明を省略する。図において、１１ｅ，１１ｅは高電圧側端子１１の接触爪部１１ａ，１１ａの上端部にカーリング形成したカール部であり、これらのカール部１１ｅ，１１ｅはソケット本体５のガイド部６に対する絶縁シール部材１２の嵌合方向に該絶縁シール部材１２の内筒部１４の上端を押え込む離脱防止手段となるものである。
【００３５】
なお、この実施の形態３において、絶縁シール部材１２は、前記実施の形態１の場合と同様に外筒部１３と内筒部１４とからなって、その内筒部の内周に内向き突起部１５が一体形成されているものであり、また、前記接触爪部１１ａ，１１ａにおける前記内向き突起部１５との対応部分は、その内向き突起部１５に沿って湾曲形成されているものである。
【００３６】
以上説明した実施の形態３によれば、ソケット本体５側の高電圧側端子１１における接触爪部１１ａ，１１ａの上端部にカール部１１ｅ，１１ｅを形成し、これらのカール部１１ｅ，１１ｅによって、絶縁シール部材１２の内筒部１４を、前記ソケット本体５のガイド部６に対する前記絶縁シール部材１２の嵌合方向に押えるように構成したので、ランププラグ２の引き抜き時に絶縁シール部材１２がランププラグ２に貼り付いたままソケット本体５から離脱するようなことがなく、安定的な絶縁機能を保持できるという効果がある。
【００３７】
実施の形態４．
図８はこの発明の実施の形態４によるランプソケットにランププラグを嵌め込んだ状態を示す断面図、図９は図８中の高電圧側端子を示す全体斜視図であり、図１から図７および図１０と同一または相当部分には同一符号を付して重複説明を省略する。
【００３８】
この実施の形態４では、前記実施の形態１および前記実施の形態３の場合と同様に絶縁シール部材１２を形成すると共に、ソケット本体５に対するランププラグ２の差し込み装着時に、ランププラグ２の高電圧側端子４によって前記ソケット本体５側の高電圧側端子１１の接触爪部１１ａ，１１ａの相互が外向きに押し広げられることで、それらの接触爪部１１ａ，１１ａの両者が相反する方向に反り返り変形して前記絶縁シール部材１２の内筒部１４を抱え込むように構成したものである。
【００３９】
このように、前記接触爪部１１ａ，１１ａの両者が相反する方向に反り返り変形することで、それらの接触爪部１１ａ，１１ａの外向き反り返り部位は、前記内筒部１４を抱え込む離脱防止手段となるものである。なお、前記ランププラグ２の高電圧側端子４が接触する前の前記接触爪部１１ａ，１１ａの開口部寸法ｄ１に対して前記接触爪部１１ａ，１１ａと接触する部分の高電圧側端子４の径ｄ２が、ｄ１＜ｄ２の関係となるように形成することが好ましい。
【００４０】
以上説明した実施の形態４によれば、ソケット本体５に対するランププラグ２の差し込み装着時に、ランププラグ２の高電圧側端子４によって前記ソケット本体５側の高電圧側端子１１の接触爪部１１ａ，１１ａの相互が押し広げられ、それらの接触爪部１１ａ，１１ａの両者が相反する方向に反り返り変形して前記絶縁シール部材１２の内筒部１４を抱え込むように構成したので、ランププラグ２の引き抜き時に絶縁シール部材１２がランププラグ２に貼り付いたままソケット本体５から離脱するようなことがなく、安定的な絶縁機能を保持できるという効果がある。
【００４３】
この発明によれば、外筒部の一端開口側に対し中央部端子の背面に当接させる内筒部を連続形成してなる絶縁シール部材の前記内筒部を抱え込む離脱防止手段を中央部端子に形成するように構成したので、ソケット本体側の中央部端子そのものによって絶縁シール部材の離脱を防止できるという効果がある。
【００４４】
この発明によれば、単一円筒状に形成された絶縁シール部材をソケット本体内への嵌合方向に押え込むための離脱防止手段を中央部端子に形成するように構成したので、ソケット本体側の中央部端子そのものによって絶縁シール部材の離脱を防止できるという効果がある。
【００４５】
この発明によれば、絶縁シール部材の内筒部の内周壁部に内向き突起部を形成し、かつ、中央部端子における前記内筒部との当接部には係止凹部を形成し、前記内向き突起部と前記係止凹部を係止させるように構成したので、前記絶縁シール部材と中央部端子とによって、その他の別部材を必要とせずに前記絶縁シール部材の離脱防止機能を発揮させることができるという効果がある。
【００４８】
この発明によれば、ソケット本体に対するランププラグの差し込み装着時に、ランププラグの中央部端子によって前記ソケット本体側の中央部端子が外向きに押し広げられ、その外向き広がり部位が前記絶縁シール部材の内筒部を抱え込むように構成したので、構成が簡単であり、しかもソケット本体側の中央部端子だけで絶縁シール部材の離脱防止機能を発揮させることができるという効果がある。
【図面の簡単な説明】
【図１】  この発明の実施の形態１によるランプソケットにランププラグを差し込みセットした状態を示す断面図である。
【図２】  図１中の絶縁シール部材を示す拡大断面図である。
【図３】  図１の要部拡大断面図である。
【図４】  この発明の実施の形態２によるランプソケットにランププラグを嵌め込んだ状態を示す断面図である。
【図５】  図４中の高電圧側端子を示す全体斜視図である。
【図６】  この発明の実施の形態３によるランプソケットにランププラグを嵌め込んだ状態を示す断面図である。
【図７】  図６中の高電圧側端子を示す全体斜視図である。
【図８】  この発明の実施の形態４によるランプソケットにランププラグを嵌め込んだ状態を示す断面図である。
【図９】  図８中の高電圧側端子を示す全体斜視図である。
【図１０】  従来のランプソケットを示す断面図である。
【符号の説明】
１  ランプ、２  ランププラグ、３  低電圧側端子、４  高電圧側端子、５  ソケット本体（ランプソケット）、６  ガイド部、８  低電圧側端子（側部端子）、１１  高電圧側端子（中央部端子）、１１ａ  接触爪部、１１ｂ  係止凹部、１１ｃ  湾曲部、１１ｄ  外向き折曲片部、１１ｅ  カール部、１２  絶縁シール部材、１２ａ  内向き鍔部、１３  外筒部、１４  内筒部、１５  内向き突起部、１６  端子脚部、１７  位置決め部位。
【図１】
0004128324.tif 000002
【図２】
0004128324.tif 000003
【図３】
0004128324.tif 000004
【図４】
0004128324.tif 000005
【図５】
0004128324.tif 000006
【図６】
0004128324.tif 000007
【図７】
0004128324.tif 000008
【図８】
0004128324.tif 000009
【図９】
0004128324.tif 000010
【図１０】
0004128324.tif 000011